(57)【要約】【課題】本発明は、複数の基板を収容可能であって、取り付け作業性及びシールド性に優れたシールドケースを提供することを目的とする。【解決手段】コピー機１は、第１基板４２０と、第２基板４３０とを厚さ方向Ｙ１に積層配置した状態で収容するシールドケース４００を備える。シールドケース４００は、開口部４０１と、第１底面４０２ａを有し第１基板４２０を収容する第１収容部４０２と、第１収容部４０２よりも開口部４０１側に配置され第２基板４３０を収容する第２収容部４０３と、を備える。第２収容部４０３は、第１底面４０２ａよりも開口部４０１からの距離が短い位置に配置される第２底面４０３ａと、第２基板４３０を支持する複数の第２支持部材であって、少なくとも第２底面４０３ａに配置され又は第２底面４０３ａの一部を構成する第２支持部材４０３ｂ２を含む複数の第２支持部材と、を備える。【選択図】図６
2013191797.tif 000002
【特許請求の範囲】
【請求項１】
第１基板と、前記第１基板よりも大きな第２基板とを厚さ方向に積層配置した状態で収容するシールドケースであって、
前記厚さ方向における一端側に形成される開口部と、
前記第１基板を収容する第１収容部であって、
第１底面と、
前記第１底面側に配置され、前記第１基板を支持する複数の第１支持部材と、を有する第１収容部と、
前記第１収容部よりも前記開口部側に、一部が前記厚さ方向に重なるように配置され、前記第２基板を収容する第２収容部であって、
前記第１底面よりも前記開口部からの距離が短い位置に配置されると共に、前記厚さ方向と交差する方向において前記第１底面と並んで配置される第２底面と、
前記第２基板を支持する複数の第２支持部材であって、少なくとも前記第２底面に配置され又は前記第２底面の一部を構成する第２支持部材を含む複数の第２支持部材と、を有する第２収容部と、を備える
シールドケース。
【請求項２】
前記第２基板は、
前記厚さ方向において、第１領域が前記第１基板と重なり、前記第１領域とは異なる第２領域が前記第２底面と重なるよう、前記第２収容部に収容配置される
請求項１に記載のシールドケース。
【請求項３】
前記第２底面は、
前記厚さ方向において、前記第２基板と重なる第３領域と、前記第２基板と重ならない第４領域と、を有する
請求項２に記載のシールドケース。
【請求項４】
前記第１収容部は、
前記第１底面を囲むように、前記第１底面の外縁から前記開口部側に延びるように配置される複数の壁部を有し、
前記複数の壁部は、前記第１底面の外縁と、前記第２底面の外縁とをつなぐように形成される段差壁部を有する
請求項１から３のいずれかに記載のシールドケース。
【請求項５】
前記開口部と反対側の外面は、
前記第１底面の外面である第１外面と、
前記第２底面の外面である第２外面と、
前記段差壁部である段差外面であって、前記第１外面の外縁と前記第２外面の外縁とをつなぐように形成される段差外面と、を有し、
前記第２外面と、前記段差外面との外側には、前記第１外面を基準として前記開口部側に窪んだ空間部が形成される
請求項４に記載のシールドケース。
【請求項６】
請求項１から５のいずれかに記載のシールドケースと、
前記開口部を覆うように配置される蓋部材と、
前記シールドケースにおける前記第１収容部に収容された前記第１基板と、
前記シールドケースにおける前記第２収容部に収容された前記第２基板と、を備える
シールドケースユニット。
【請求項７】
前記第２基板に実装される発熱部材と、
前記第２基板に対向して配置される送風部材と、を有する
請求項６に記載のシールドケースユニット。
【請求項８】
画像形成部を有する画像形成装置本体と、
前記画像形成装置本体における側面側に取り付けられる請求項６又は７に記載のシールドケースユニットと、を備える
画像形成装置。
【請求項９】
前記シールドケースにおいて、
前記第１収容部は、
前記第１底面を囲むように、前記第１底面の外縁から前記開口部側に延びるように配置される複数の壁部を有し、
前記複数の壁部は、前記第１底面の外縁と、前記第２底面の外縁とをつなぐように形成される段差壁部と有し、
前記開口部と反対側の外面は、
前記第１底面の外面である第１外面と、
前記第２底面の外面である第２外面と、
前記段差壁部である段差外面であって、前記第１外面の外縁と前記第２外面の外縁とをつなぐように形成される段差外面と、を有し、
前記第２外面と、前記段差外面との外側には、前記第１外面を基準として前記開口部側に窪んだ空間部が形成され、
前記画像形成装置本体における前記側面側には、外方に突出する突出部が配置され、
前記シールドケースユニットは、前記突出部が前記空間部に位置するよう前記画像形成装置本体における前記側面側に取り付けられる
請求項８に記載の画像形成装置。
【発明の詳細な説明】
【技術分野】
【０００１】
本発明は、複数の基板を収容可能なシールドケース、複数の基板を収容したシールドケースユニット、及びシールドケースユニットを有する画像形成装置に関する。
【背景技術】
【０００２】
従来、画像形成装置は、基板に実装される電子部品への高周波による悪影響の抑制や、電子部品から発生する高周波による他の電子部品への悪影響の抑制等を目的とするシールドケースを有する。
また、多機能化等にともなう電子部品数の増加により、近年、複数の基板を有する画像形成装置が増えてきている。
ここで、スペースの関係上、複数の基板は積層した状態でシールドケースに収容されることが求められてきている。
【０００３】
これに対し、複数の基板を収容するシールドケース（シールドケースユニット）として、例えば、積層方向（厚さ方向）と直交する方向に基板をそれぞれスライドさせて複数の基板を積層配置させるシールドケースが提案されている（例えば、特許文献１参照）。
【先行技術文献】
【特許文献】
【０００４】
【特許文献１】特開２００９−９８２１８号公報
【発明の概要】
【発明が解決しようとする課題】
【０００５】
しかし、特許文献１に開示されたシールドケースにおいて、基板を挿入する開口や、スライドされる基板をガイドすると共に保持する部材等が必要であり、構造が複雑になる場合があった。
そのため、一つの開口から複数の基板を取り付けることが可能なシールドケースが求められている。
【０００６】
ここで、一の基板を底面側に取り付けた後に、開口側に別途部材を取り付けて、他の基板を該部材に載置可能にする技術が提案されている。
しかし、この技術の場合、シールドケースの内面に別途部材を取り付けるため、シールドケースにおけるシールド性が低下する場合があった。ここで、上記部材を別部材でなくシールドケースに一体的に形成しておくことも可能であるが、この場合、基板の取り付け性が大きく低下するという問題があった。
【０００７】
また、上述のほか、画像形成装置において、構造が複雑化するなか、更なる小型化が求められているため、シールドケースにおいても省スペース化に寄与する形状であることが求められてきている。
【０００８】
本発明は、複数の基板を収容可能であって、取り付け作業性及びシールド性に優れたシールドケースを提供することを目的とする。
また、本発明は、上記シールドケースに複数の基板が収容されたシールドケースユニットを提供することを目的とする。
また、本発明は、上記シールドケースユニットを備える画像形成装置を提供することを目的とする。
【課題を解決するための手段】
【０００９】
本発明は、第１基板と、前記第１基板よりも大きな第２基板とを厚さ方向に積層配置した状態で収容するシールドケースであって、前記厚さ方向における一端側に形成される開口部と、前記第１基板を収容する第１収容部であって、第１底面と、前記第１底面側に配置され、前記第１基板を支持する複数の第１支持部材と、を有する第１収容部と、前記第１収容部よりも前記開口部側に、一部が前記厚さ方向に重なるように配置され、前記第２基板を収容する第２収容部であって、前記第１底面よりも前記開口部からの距離が短い位置に配置されると共に、前記厚さ方向と交差する方向において前記第１底面と並んで配置される第２底面と、前記第２基板を支持する複数の第２支持部材であって、少なくとも前記第２底面に配置され又は前記第２底面の一部を構成する第２支持部材を含む複数の第２支持部材と、を有する第２収容部と、を備えるシールドケースに関する。
【００１０】
また、本発明は、上述のシールドケースと、前記開口部を覆うように配置される蓋部材と、前記シールドケースにおける前記第１収容部に収容された前記第１基板と、前記シールドケースにおける前記第２収容部に収容された前記第２基板と、を備えるシールドケースユニットに関する。
【００１１】
また、本発明は、画像形成部を有する画像形成装置本体と、前記画像形成装置本体における側面側に取り付けられる上述のシールドケースユニットと、を備える画像形成装置に関する。
【発明の効果】
【００１２】
本発明によれば、複数の基板を収容可能であって、取り付け作業性及びシールド性に優れたシールドケースを提供することができる。また、本発明によれば、上記シールドケースに複数の基板が収容されたシールドケースユニットを提供することができる。また、本発明によれば、上記シールドケースユニットを備える画像形成装置を提供することができる。
【図面の簡単な説明】
【００１３】
【図１】本発明の画像形成装置の第１実施形態としてのコピー機１における各構成要素の配置を説明するための正面図である。
【図２】シールドケースユニット４０が取り付けられた状態のコピー機１の裏面図である。
【図３】図２に示したコピー機１の平面模式図である。
【図４】シールドケースユニット４０が取り付けられる前の状態のコピー機１の裏面図である。
【図５】図４に示すコピー機１の平面模式図である。
【図６】シールドケースユニット４０の斜視図である。
【図７】図６のＡ−Ａ断面図である。
【図８】シールドケース４００の斜視図である。
【図９】シールドケース４００の平面図である。
【図１０】シールドケース４００における図９の矢印Ｂ方向からみた側面図と後側板を示す図である。
【図１１】シールドケース４００における図９の矢印Ｃ方向からみた側面図である。
【図１２】シールドケース４００の第１収容部４０２に第１基板４２０が取り付けられた状態の斜視図である。
【図１３】第１基板４２０の取り付けが完了したシールドケース４００の第２収容部４０３に第２基板４３０を取り付ける手順を説明する図である。
【図１４】第１基板４２０及び第２基板４３０の取り付けが完了した状態のシールドケース４００の斜視図である。
【図１５】シールドケースユニット４０の取り付け手順を説明する図である。
【図１６】シールドケースユニット４０が取り付け手順を説明する図である。
【発明を実施するための形態】
【００１４】
以下、本発明の実施形態について図面を参照して説明する。
図１から図５により、画像形成装置の一実施形態としてのコピー機１における全体構造を説明する。図１は、本発明の画像形成装置の第１実施形態としてのコピー機１における各構成要素の配置を説明するための正面図である。図２は、シールドケースユニット４０が取り付けられた状態のコピー機１の裏面図である。図３は、図２に示したコピー機１の平面模式図である。図４は、シールドケースユニット４０が取り付けられる前の状態のコピー機１の裏面図である。図５は、図４に示すコピー機１の平面模式図である。
【００１５】
図１に示すように、本実施形態のコピー機１は、コピー機本体１００と、コピー機本体１００の垂直方向下側に配置され、コピー機本体１００に増設される増設ユニット３００（第２筐体）とを備える。増設ユニット３００は、シート状の被画像形成材である用紙Ｔを後述のケース本体１１０に給紙可能に収容するユニットである。増設ユニット３００は、ユーザーの要望により、適宜、コピー機本体１００に増設される。
【００１６】
図１に示すように、コピー機本体１００は、画像読取装置２００と、画像形成装置本体１０５（第１筐体）とを備える。
画像読取装置２００は、画像読取部２０１と、画像読取部２０１の垂直方向上側に配置され画像読取部２０１に原稿Ｇ（シート材）を自動的に搬送するシート材給送装置６９０とを備える。
【００１７】
図１に示すように、シート材給送装置６９０は、給送機構筐体６９１と、原稿載置部７１０と、原稿集積部７２０と、中間トレイ７３０とを備える。
【００１８】
給送機構筐体６９１は、シート材給送装置６９０における給送機構が収納された筐体である。
原稿載置部７１０は、画像が読み取られる前の原稿Ｇ（シート材）が載置される部分である。
原稿集積部７２０は、原稿載置部７１０の垂直方向下側に位置し、所定の画像読取位を通過した原稿Ｇが集積される部分である。
【００１９】
中間トレイ７３０は、原稿載置部７１０と原稿集積部７２０との間に配置され、原稿載置部７１０と原稿集積部７２０との間の空間を原稿集積部７２０側の第１空間と原稿載置部７１０側の第２空間とに仕切るトレイである。
【００２０】
画像読取部２０１は、光源を含む照明部と、光路を形成する複数のミラーと、結像レンズと、読取手段としてのＣＣＤと、ＣＣＤにより読み取られた画像情報に対して所定の処理をすると共に該画像情報を画像形成装置本体１０５側に出力させるＣＣＤ基板とを備える。
シート材給送装置６９０において、読取位置に搬送された原稿Ｇに形成された画像は、ＣＣＤにより読み取られる。
【００２１】
図１に示すように、画像形成装置本体１０５は、画像読取装置２００（画像読取部２０１）の垂直方向下側に配置される。
画像形成装置本体１０５は、所定の画像情報に基づいて用紙Ｔに所定の画像を形成する画像形成部ＧＫと、用紙Ｔを画像形成部ＧＫに給紙すると共に画像が形成された用紙Ｔを排紙する給排紙部とを有する。
【００２２】
また、画像形成装置本体１０５は、画像形成部ＧＫや給排紙部を収容するケース本体１１０を有する。
【００２３】
図１に示すように、画像形成部ＧＫは、感光体ドラム２と、帯電部１０と、レーザースキャナユニット４と、現像器１６と、トナーカートリッジ５と、トナー供給装置６と、転写ローラー８と、ドラムクリーニング装置１１と、定着部としての定着装置９とを備える。
また、給排紙部は、給紙カセット５２と、手差しトレイ６５と、レジストローラー対８０と、用紙Ｔの搬送路Ｌとを備える。
【００２４】
感光体ドラム２は、円筒形状の部材からなり、像担持体として機能する。感光体ドラム２は、図１の紙面に対して垂直な回転軸を中心に回転可能な態様で画像形成装置本体１０５に配置される。感光体ドラム２の表面には、静電潜像が形成される。
【００２５】
帯電部１０は、感光体ドラム２の垂直方向上側（上方）に配置される。帯電部１０は、感光体ドラム２の表面を一様に正（プラス極性）帯電させる。
【００２６】
レーザースキャナユニット４は、感光体ドラム２の垂直方向上側（上方）に感光体ドラム２から離間して配置される。レーザースキャナユニット４は、不図示のレーザー光源、ポリゴンミラー、ポリゴンミラー駆動用モーター等を有して構成される。
【００２７】
レーザースキャナユニット４は、画像読取装置２００から出力された画像情報に基づいて、感光体ドラム２の表面を走査露光する。レーザースキャナユニット４により走査露光されることによって、感光体ドラム２の表面に帯電した電荷が除去される。これにより、感光体ドラム２の表面に静電潜像が形成される。
【００２８】
レーザースキャナユニット４は、画像読取装置２００から出力された画像情報に基づいて、感光体ドラム２の表面を走査露光する。レーザースキャナユニット４により走査露光されることによって、感光体ドラム２の表面に帯電した電荷が除去される。これにより、感光体ドラム２の表面に静電潜像が形成される。
【００２９】
現像器１６は、感光体ドラム２の右方（図１における右側）に配置される。現像器１６は、感光体ドラム２に形成された静電潜像に単色（通常はブラック）のトナー画像を現像する。現像器１６は、感光体ドラム２に対向配置可能な現像ローラー１７と、トナー攪拌用の攪拌ローラー１８と、を有して構成される。
【００３０】
トナーカートリッジ５は、現像器１６に供給されるトナーを収容する。
トナー供給装置６は、トナーカートリッジ５に収容されたトナーを、現像器１６に供給する。
【００３１】
ドラムクリーニング装置１１は、感光体ドラム２の左方（図１における左側）に配置される。ドラムクリーニング装置１１は、感光体ドラム２の表面に残留したトナーや付着物を除去する。
【００３２】
転写ローラー８は、感光体ドラム２の表面に現像されたトナー画像を用紙Ｔに直接的に転写させる。転写ローラー８には、不図示の電圧印加手段により、感光体ドラム２に現像されたトナー画像を用紙Ｔに転写させるための転写バイアスが印加される。
【００３３】
なお、感光体ドラム２の表面に現像されたトナー画像は、中間転写ベルト等を介して、用紙Ｔに間接的に転写させることができる。
【００３４】
転写ローラー８は、感光体ドラム２に当接される当接位置と、感光体ドラム２から離間する離間位置とに移動可能に構成される。詳細には、転写ローラー８は、感光体ドラム２に現像されたトナー画像を用紙Ｔに転写させる場合には当接位置に移動され、他の場合には離間位置に移動される。
ここで、用紙Ｔは、感光体ドラム２と転写ローラー８とによって挟み込まれ、感光体ドラム２の表面（トナー画像が現像された側）に押し当てられる。このようにして転写部としての転写ニップＮが形成され、感光体ドラム２に現像されたトナー画像は、用紙Ｔに転写される。
【００３５】
定着装置９は、用紙Ｔに転写されたトナー画像を構成するトナーを溶融させて、用紙Ｔに定着させる。定着装置９は、ヒーターにより加熱される加熱ローラー９ａと、加熱ローラー９ａに圧接される加圧ローラー９ｂと、を備える。加熱ローラー９ａと加圧ローラー９ｂとは、トナー画像が転写された用紙Ｔを挟持するようにして搬送する。用紙Ｔが加熱ローラー９ａと加圧ローラー９ｂとの間に挟持されるように搬送されることによって、用紙Ｔに転写されたトナーは、溶融されると共に該用紙Ｔの表面に定着される。
【００３６】
給紙カセット５２は、画像形成装置本体１０５の下部（垂直方向における下側）に配置される。給紙カセット５２は、画像形成装置本体１０５の前側に水平方向に引き出し可能に配置される。給紙カセット５２は、用紙Ｔが載置される載置板６０を備えており、給紙カセット５２には、載置板６０に用紙Ｔが積層された状態で、用紙Ｔが収容される。カセット給紙部５１は、給紙カセット５２の用紙送り出し側端部（図１における右側端部）に配置される。カセット給紙部５１は、給紙カセット５２に収容された用紙Ｔを搬送路Ｌに送り出す。
【００３７】
カセット給紙部５１は、載置板６０に載置された用紙Ｔを取り出す前送りコロ６１と、用紙Ｔを１枚ずつ搬送路Ｌに送り出すローラー対６３とからなる重送防止機構を備える。
【００３８】
カセット給紙部５１又は手差し給紙部６４と排紙部５０との間には、用紙Ｔを搬送する搬送路Ｌが形成される。搬送路Ｌは、カセット給紙部５１から第１合流部Ｐ１までの第１搬送路Ｌ１と、第１合流部Ｐ１からレジストローラー対８０までの第２搬送路Ｌ２と、レジストローラー対８０から転写ローラー８までの第３搬送路Ｌ３と、転写ローラー８から定着装置９までの第４搬送路Ｌ４と、定着装置９から分岐部Ｐ３までの第５搬送路Ｌ５と、分岐部Ｐ３から排紙部５０までの第６搬送路Ｌ６と、を有する。
【００３９】
また、搬送路Ｌは、手差しトレイ６５から第１合流部Ｐ１までの第７搬送路Ｌ７を有する。第１合流部Ｐ１は、カセット給紙部５１から用紙Ｔを搬送する第１搬送路Ｌ１と、手差しトレイ６５から用紙Ｔを搬送する第７搬送路Ｌ７との合流部である。
【００４０】
また、本実施形態の搬送路Ｌは、カセット給紙部５１から第１合流部Ｐ１までの第１搬送路Ｌ１から増設ユニット３００側に延長形成され、増設ユニット３００から給紙される用紙Ｔを第１搬送路Ｌ１に搬送する増設ユニット用搬送路Ｌ８を有する。
【００４１】
増設ユニット３００は、垂直方向に（２段になるよう）並んだ給紙カセット５２、５２を備える。増設ユニット３００は、給紙カセット５２、５２に対応して配置されるカセット給紙部５１、５１を備える。増設ユニット３００は、不図示の連結機構を介してケース本体１１０と連結される。
ケース本体１１０と連結された増設ユニット３００は、ケース本体１１０側の不図示の電源部から供給される電力や不図示の画像形成制御部からの制御信号を装置本体側コネクタ１２１を介して受信する増設ユニット側コネクタ３２１を有する。
また、増設ユニット３００は、カセット給紙部５１、５１から繰り出される用紙Ｔを、画像形成装置本体１０５側の増設ユニット用搬送路Ｌ８に送り出す連絡搬送路Ｌ９を有する。
【００４２】
第２搬送路Ｌ２の途中には、第２合流部Ｐ２が配置される。更に、搬送路Ｌは、分岐部Ｐ３から第２合流部Ｐ２までの戻し搬送路Ｌｂを有する。第２合流部Ｐ２は、第２搬送路Ｌ２と戻し搬送路Ｌｂとの合流部である。
【００４３】
ここで、転写ローラー８における用紙Ｔの搬送方向の上流側（図１における右側）には、レジストローラー対８０が配置される。レジストローラー対８０は、用紙Ｔのスキュー（斜め給紙）補正や、トナー画像とのタイミング調整を行うためのローラー対である。
【００４４】
戻し搬送路Ｌｂは、用紙Ｔの両面印刷を行う際に、既に印刷されている面とは反対面（非印刷面）を感光体ドラム２に対向させるために設けられる搬送路である。
【００４５】
戻し搬送路Ｌｂによれば、分岐部Ｐ３から排紙部５０側に搬送された用紙Ｔを表裏反転させて第２搬送路Ｌ２に戻すことができる。戻し搬送路Ｌｂにより表裏反転された用紙Ｔは、感光体ドラム２により非印刷面に対して所定のトナー画像が転写される。
【００４６】
ケース本体１１０の右面側（図１における右側）であって、給紙カセット５２の上方には、手差し給紙部６４が設けられる。手差し給紙部６４は、手差しトレイ６５と、給紙コロ６６とを備える。手差しトレイ６５は、その基端部が第７搬送路Ｌ７の入口近傍に回動自在（開閉自在）に取り付けられる。手差しトレイ６５は、その閉状態において、ケース本体１１０の前面の一部を構成する。給紙コロ６６は、手差しトレイ６５に載置された用紙Ｔを取り出し、第７搬送路Ｌ７に向けて送り出す。
【００４７】
手差し給紙部６４は、開状態の手差しトレイ６５に載置された用紙Ｔを、第７搬送路Ｌ７及び第１合流部Ｐ１を介して、第２搬送路Ｌ２に給紙する。
【００４８】
第６搬送路Ｌ６における端部には、排紙部５０が形成される。排紙部５０は、画像形成装置本体１０５における上方側に配置される。排紙部５０は、画像形成装置本体１０５の前方（図１における右方）に向けて開口している。排紙部５０は、定着装置９によりトナーが定着された用紙Ｔを画像形成装置本体１０５の外部に排紙する。
【００４９】
排紙部５０における開口側には、排紙集積部Ｍ１が形成される。排紙集積部Ｍ１は、画像形成装置本体１０５における上面（外面）に形成される。排紙集積部Ｍ１は、画像形成装置本体１０５における上面が下方（垂直方向下側）に窪んで形成された部分である。排紙集積部Ｍ１の底面は、画像形成装置本体１０５における上面の一部を構成する。排紙集積部Ｍ１には、排紙部５０から排紙された、所定画像が転写された用紙Ｔが積層して集積される。
【００５０】
また、図２及び図３に示すように、画像形成装置本体１０５のケース本体１１０は、裏側面１１１の内部において、画像形成装置本体１０５から画像読取部２０１まで延びる、画像導電性の板金部材で形成された後側板１１２を有している。後側板１１２は画像形成装置本体１０５側の下面１１２ａよりも画像読取部２０１側の上面１１２ｂが後方に階段状に突出するよう連結された形状である。下面１１２ａの外面には突出する突出部１１３と、突出部１１３を覆うように裏側面１１１に取り付けられるシールドケースユニット４０と、を備える。突出部１１３は、下面１１２ａの外面から外方に突出して配置される。突出部１１３における画像形成装置本体１０５の内側には、各種部材が配置される。
そして、図２及び図３に示すように、画像形成装置本体１０５は、突出部１１３を覆うように後側板１１２に取り付けられるシールドケースユニット４０を更に備える。
シールドケースユニット４０は、直方体を規準として窪んだように形成される空間部５１０に突出部１１３が収容されるように配置される。シールドケースユニット４０は、空間部５１０が形成された側を内側（突出部１１３側）に配置し、平面状の側を外側に配置して、ケース本体１１０に取り付けられる。
シールドケースユニット４０は、シールドケース４００と、シールドケース４００に収容配置され、画像形成装置本体１０５内の各部の動作制御を行う複数の回路基板と、を備える。
シールドケースユニット４０については、後述する。
【００５１】
続けて、図６から図１１により、シールドケースユニット４０について説明する。図６は、シールドケースユニット４０の斜視図である。図７は、図６のＡ−Ａ断面図である。図８は、シールドケース４００の斜視図である。図９は、シールドケース４００の平面図と後側板１１２を示す図である。図１０は、シールドケース４００における図９の矢印Ｂ方向からみた側面図である。図１１は、シールドケース４００における図９の矢印Ｃ方向からみた側面図である。
【００５２】
図６及び図７に示すように、シールドケースユニット４０は、一端側（図７において上端側）に形成された開口部４０１を有するシールドケース４００と、開口部４０１を覆うように配置される蓋部材４１０と、第１基板４２０と、第１基板４２０よりも大きな第２基板４３０と、を備える。
【００５３】
図７に示すように、シールドケース４００は、第１基板４２０と第２基板４３０とを、シールドケース４００（基板）の厚さ方向Ｙ１に積層配置した状態で収容する。
開口部４０１は、シールドケース４００の厚さ方向Ｙ１における一端側（図７において上端側）に形成されている。
【００５４】
シールドケース４００は、第１収容部４０２と、第２収容部４０３とを有する。シールドケース４００は、厚さ方向Ｙ１における他端側から順に位置する第１収容部４０２と、第２収容部４０３とを有する。
【００５５】
第１収容部４０２は、第１基板４２０を収容する収容空間である。図８及び図９に示すように、第１収容部４０２は、第１基板４２０の裏側に対向して配置される第１底面４０２ａと、複数の第１支持部材４０２ｂと、を有する。
第１底面４０２ａは、内周が第１基板４２０の外周よりも大きく設定されている。
複数の第１支持部材４０２ｂは、第１底面４０２ａ側に配置されており、第１基板４２０を支持する部材である。
【００５６】
第１収容部４０２は、第１底面４０２ａを囲むように第１底面４０２ａの外縁から開口部４０１側に延びるように配置される複数（４面）の壁部４０２ｃを有する。図７に示すように、複数の壁部４０２ｃのうち、一つの壁部４０２ｃは、第１底面４０２ａの外縁と第２底面４０３ａの外縁とをつなぐように形成される段差壁部４０２ｄを形成している。
【００５７】
第２収容部４０３は、第２基板４３０を収容する収容空間である。第２収容部４０３は、第１収容部４０２よりも開口部４０１側に配置されている。また、第２収容部４０３は、第１収容部４０２に対して一部が前記厚さ方向Ｙ１に重なるように配置されている。図９に示すように、第２収容部４０３は、第２底面４０３ａと、複数の第２支持部材４０３ｂと、を有している。
【００５８】
第２底面４０３ａは、第１底面４０２ａよりも開口部４０１からの距離が短い位置に配置される。また、第２底面４０３ａは、厚さ方向Ｙ１と交差する方向（図７における矢印Ｘ１方向）において第１底面４０２ａと並んで配置される。
【００５９】
図９に示すように、複数の第２支持部材である第２支持部材４０３ｂ１及び第２支持部材４０３ｂ２は、第２基板４３０を支持する。
【００６０】
第２支持部材４０３ｂ１は、第１収容部４０２の上方に配置される支持部材である。第２支持部材４０３ｂ１は、壁部４０２ｃに一体形成された切り起こし片であり、表面において第２基板４３０を支持する。
【００６１】
第２支持部材４０３ｂ２は、第２底面４０３ａの一部を構成する支持部材（支持領域）である。第２支持部材４０３ｂ２は、収容された第２基板４３０と厚さ方向Ｙ１において重なる領域のうち、第２基板４３０を支持する領域として設定された領域である。第２支持部材４０３ｂ２は、収容された第２基板４３０と厚さ方向Ｙ１において重なる領域の全部であってもよく、一部であってもよい。また、第２支持部材４０３ｂ２は、収容された第２基板４３０と厚さ方向Ｙ１において重なる領域のうち所定領域を突出させて形成させてもよい。
ここで、第２支持部材４０３ｂ２は、収容された第２基板４３０と厚さ方向Ｙ１において重なる領域自体でなく、当該領域の所定位置に配置された支持部材により構成されてもよい。
【００６２】
図１０及び図１１に示すように、シールドケース４００において、開口部４０１と反対側の外面は、第１底面４０２ａの外面である第１外面５０２ａと、第２底面４０３ａの外面である第２外面５０３ａと、段差壁部４０２ｄの外面である段差外面５０２ｄと、を有する。段差外面５０２ｄは、第１外面５０２ａの外縁と第２外面５０３ａの外縁とをつなぐように形成されている。
図７及び図１１に示すように、第２外面５０３ａと段差外面５０２ｄとの外側には、第１外面５０２ａを基準として開口部４０１側に窪んだ空間部５１０が形成される。
【００６３】
シールドケース４００は、開口部４０１の内周縁に形成される複数の蓋取付け部４０５を有する。複数の蓋取付け部４０５は、蓋部材４１０を固定するための部分であって、開口部４０１の周縁部を形成している壁部材に一体形成されている。
また、図９に示すように、シールドケース４００の外周面には、画像形成装置本体１０５の後側板１１２に固定するための取付金具４０６が固定されている。
【００６４】
第１基板４２０は、シールドケース４００における第１収容部４０２に収容される回路基板である。第１基板４２０は、第２基板４３０よりも小さな基板である。
【００６５】
第２基板４３０は、シールドケース４００における第２収容部４０３に収容される回路基板である。
図７に示すように、第２基板４３０は、厚さ方向Ｙ１において、第１基板４２０に重なる第１領域Ｒ１と、第１領域Ｒ１とは異なる領域であって厚さ方向Ｙ１において第２底面４０３ａと重なる第２領域Ｒ２とに区分することができる。ここで、第２領域Ｒ２は、シールドケース４００（第２底面４０３ａ）に直接的に接触可能に構成される。このため、シールドケース４００は、第２基板４３０との接触性に優れている。
また、本実施形態の場合、開口部４０１側に配置される第２基板４３０に、発熱の多い電子部品である発熱部材（ＣＰＵ等）４３１が実装される。
【００６６】
そして、シールドケースユニット４０は、第２基板４３０に対向して配置されるファン５２０（送風部材）を有する。本実施形態において、図７に示すように、ファン５２０は、蓋部材４１０の内面に取り付けられる。蓋部材４１０がシールドケース４００に取り付けられた状態において、ファン５２０は、上述の発熱部材４３１に対向して配置される。ファン５２０は、発熱部材４３１に送風可能な位置に配置される。
【００６７】
図７に示すように、第２収容部４０３における第２底面４０３ａは、厚さ方向Ｙ１において、第２基板４３０と重なる第３領域Ｅ３と、第２基板４３０と重ならない第４領域Ｅ４とを有する。
第３領域Ｅ３は、第２基板４３０における第２領域Ｒ２と対応する領域である。
第４領域Ｅ４は、第２基板４３０を取り付ける際の作業用スペース、又は第１基板４２０や第２基板４３０に接続される電線を配置するスペースとして利用される領域である。
【００６８】
続けて、図１２から図１６により、シールドケースユニット４０の組立手順及び、シールドケースユニット４０を画像形成装置本体１０５へ取り付ける取付手順を説明する。
図１２は、シールドケース４００の第１収容部４０２に第１基板４２０が取り付けられた状態の斜視図である。図１３は、第１基板４２０の取り付けが完了したシールドケース４００の第２収容部４０３に第２基板４３０を取り付ける手順を説明する図である。図１４は、第１基板４２０及び第２基板４３０の取り付けが完了した状態のシールドケース４００の斜視図である。図１５は、シールドケースユニット４０の取り付け手順を説明する図である。図１６は、シールドケースユニット４０が取り付け手順を説明する図である。
【００６９】
まず、図１２に示すように、作業者は、第１基板４２０を開口部４０１から挿入して、第１収容部４０２に配置する。作業者は、第１基板４２０を第１支持部材４０２ｂに載置すると共に固定する。これにより、第１基板４２０は、シールドケース４００の第１収容部４０２に収容配置される。
【００７０】
続けて、図１３に示すように、作業者は、第２基板４３０を開口部４０１から挿入して第２底面４０３ａ上に載置する。そして、作業者は、第２底面４０３ａ上に載置された第２基板４３０を矢印Ｘ３方向（図１３において右側）にスライド移動させて、第２基板４３０を第２収容部４０３内の規定位置に位置させる。これにより、第２基板４３０は、複数の第２支持部材４３０ｂ１及び第２支持部材４３０ｂ２に載置された状態となる。
【００７１】
続けて、作業者は、第２収容部４０３内の規定位置に配置された第２基板４３０を複数の第２支持部材４３０ｂ１及び第２支持部材４３０ｂ２に固定する。
【００７２】
そして、作業者は、第１基板４２０と第２基板４３０の取り付けが完了したシールドケース４００に、開口部４０１を覆う蓋部材４１０を取り付ける。これにより、シールドケースユニット４０は組み立てられる。
【００７３】
続けて、作業者は、図１５に示す画像形成装置本体１０５に対して、裏側面１１１側からシールドケースユニット４０を取り付ける。
図１６に示すように、作業者は、空間部５１０に突出部１１３が収容されるようにシールドケースユニット４０を位置決めすると共に、上述の取付金具４０６を後側板１１２に固定してシールドケースユニット４０を画像形成装置本体１０５（ケース本体１１０）に取り付ける。
本実施形態において、シールドケース４００における段差外面５０２ｄ及び第２外面５０３ａとで区画される空間部５１０は、ケース本体１１０の突出部１１３を収容する空間として活用されている。
これにより、シールドケースユニット４０は、コピー機１における省スペース化や高密度実装化を図りながら、画像形成装置本体１０５（ケース本体１１０）に取り付けられる。
【００７４】
本実施形態によれば、シールドケース４００は、第１基板４２０と、第１基板４２０よりも大きな第２基板４３０とを厚さ方向に積層配置した状態で収容するシールドケース４００であって、前記厚さ方向における一端側に形成される開口部４０１と、第１基板４２０を収容する第１収容部４０２と、第２基板４３０を収容する第２収容部４０３と、を備える。そして、第１収容部４０２は、第１底面４０２ａと、第１底面４０２ａ側に配置されて第１基板４２０を支持する複数の第１支持部材４０２ｂと、を有する。また、第２収容部４０３は、第１収容部４０２よりも開口部４０１側に、一部が前記厚さ方向に重なるように配置されている。更に、第２収容部４０３は、第２底面４０３ａと、複数の第２支持部材４０３ｂ１、４０３ｂ２と、を有する。そして、第２底面４０３ａは、第１底面４０２ａよりも開口部４０１からの距離が短い位置に配置されると共に、前記厚さ方向と交差する方向において第１底面４０２ａと並んで配置される。また、複数の第２支持部材４０３ｂ１、４０３ｂ２は、少なくとも前記第２底面４０３ａに配置され又は第２底面４０３ａの一部を構成する第２支持部材４０３ｂ２を含む。
【００７５】
本実施形態におけるシールドケース４００は、大きさが異なる２枚の第１基板４２０及び第２基板４３０を厚さ方向Ｙ１方向に積層配置して収容する。そして、小さい第１基板４２０は、開口部４０１から遠い奥側の第１収容部４０２に先に取り付けられ、大きい第２基板４３０は、第１基板４２０の取り付けが完了した後、間口の広い開口部４０１側の第２収容部４０３に取り付けられる。ここで、本実施形態において、第２支持部材の一部が第２底面４０３ａに形成されるので、第２基板４３０の取り付けの際に邪魔になる部材が少ない。このため、シールドケースユニット４０（シールドケース４００）は、基板の取付性に優れている。
【００７６】
また、本実施形態において、第２支持部材の一部が第２底面４０３ａに形成（配置）されるので、配置自由度が高く、第１基板４２０の取り付け作業に邪魔のならない位置に第２支持部材を形成（配置）することができる。
【００７７】
また、本実施形態において、第２支持部材の一部が第２底面４０３ａに形成（配置）されるので、接触状態を好適にすることができ、シールドケースユニット４０（シールドケース４００）は、シールド性に優れる。
【００７８】
これにより、複数の基板が収容されると共に、取り付け作業性及びシールド性に優れたシールドケースユニット（シールドケース）を提供することができる。
【００７９】
また、本実施形態によれば、シールドケースユニット４０（シールドケース４００）において、第２基板４３０は、厚さ方向において、図７に示したように、第１領域Ｒ１が第１基板４２０と重なり、前記第１領域Ｒ１とは異なる第２領域Ｒ２が第２底面４０３ａと重なるよう、前記第２収容部４０３に収容配置される。
第２基板４３０は、第１基板４２０とは重ならない第２領域Ｒ２側に、第２底面４０３ａに取り付けられる取付構造を実装可能に構成される。これにより、シールドケースユニット４０（シールドケース４００）は、上述の通り、取付作業性に優れると共に、シールド性に優れる。
【００８０】
また、本実施形態によれば、シールドケースユニット４０（シールドケース４００）において、第２底面４０３ａは、厚さ方向Ｙ１において第２基板４３０と重なる第３領域Ｅ３と、第２基板４３０と重ならない第４領域Ｅ４と、を有する。
そして、第４領域Ｅ４は、第２基板４３０を第２底面４０３ａ上でスライドして取り付けるための作業スペースとして活用することができる。これにより、シールドケースユニット４０（シールドケース４００）は、基板の取付作業性に優れる（組み立て性に優れる）。
また、第４領域Ｅ４は、第２基板４３０に接続される電線を配索するスペースとしても活用することができる。これにより、第４領域Ｅ４は、関連部品の収容性にも優れる。
【００８１】
また、本実施形態によれば、シールドケースユニット４０（シールドケース４００）において、第１収容部４０２は、第１底面４０２ａを囲むように、第１底面４０２ａの外縁から開口部４０１側に延びるように配置される複数の壁部４０２ｃを有する。また、複数の壁部４０２ｃのうち、一つの壁部４０２ｃは、第１底面４０２ａの外縁と、第２底面４０３ａの外縁とをつなぐように形成される段差壁部４０２ｄを構成する。
シールドケースユニット４０（シールドケース４００）は、第１基板４２０に対する配置や位置決め性を良好にすることができる。
また、シールドケースユニット４０（シールドケース４００）は、省スペース化されていると共に、プリンター１における省スペース化に寄与可能に構成される。
【００８２】
また、本実施形態によれば、シールドケースユニット４０（シールドケース４００）において、開口部４０１と反対側の外面は、第１底面４０２ａの外面である第１外面５０２ａと、第２底面４０３ａの外面である第２外面５０３ａと、段差壁部４０２ｄである段差外面５０２ｄとを有する。そして、段差外面５０２ｄは、第１外面５０２ａの外縁と第２外面５０３ａの外縁とをつなぐように形成される。
これにより、第２外面５０３ａと、段差外面５０２ｄとの外側には、第１外面５０２ａを基準として開口部４０１側に窪んだ空間部５１０が形成される。
つまり、シールドケースユニット４０（シールドケース４００）は、空間部５１０がケース本体１１０から突出した突出部１１３の収容スペースとして有効に活用することができる。これにより、シールドケースユニット４０（シールドケース４００）は、プリンター１における省スペース化を図ることができる。
【００８３】
また、本実施形態によれば、シールドケースユニット４０は、上述のシールドケース４００と、シールドケース４００の開口部４０１を覆うように配置される蓋部材４１０と、シールドケース４００における第１収容部４０２に収容された第１基板４２０と、シールドケース４００における前記第２収容部４０３に収容された第２基板４３０と、を備える。
これにより、複数の基板が収容されると共に、取り付け作業性及びシールド性に優れたシールドケースユニットを提供することができる。
【００８４】
また、本実施形態によれば、シールドケースユニット４０は、第２基板４３０に実装される発熱部材（ＣＰＵ等）４３１と、第２基板４３０に対向して配置されるファン５２０と、を有する。
これにより、シールドケースユニット４０は、収容する基板上の発熱部材を効率良く冷却することができ、基板の過昇温を抑えて、基板の動作信頼性を向上させることができる。
【００８５】
また、本実施形態によれば、コピー機１は、画像形成部ＧＫを有する画像形成装置本体１０５と、画像形成装置本体１０５におけるケース本体１１０の側面側に取り付けられる上記シールドケースユニット４０と、を備える。
これにより、複数の回路基板を収容すると共に、取り付け作業性及びシールド性に優れたシールドケースユニットを備えるコピー機１（画像形成装置）を提供することができる。
【００８６】
また、本実施形態によれば、コピー機１は、画像形成装置本体１０５におけるケース本体１１０の裏側面１１１側に取り付けられるシールドケース４００において、第１基板４２０を収容する第１収容部４０２は、第１底面４０２ａを囲むように、第１底面４０２ａの外縁から開口部４０１側に延びるように配置される複数の壁部４０２ｃを有し、複数の壁部４０２ｃは、第１底面４０２ａの外縁と、前記第２底面４０３ａの外縁とをつなぐように形成される段差壁部４０２ｄと有する。また、シールドケース４００の開口部４０１と反対側の外面は、第１底面４０２ａの外面である第１外面５０２ａと、第２底面４０３ａの外面である第２外面５０３ａと、段差壁部４０２ｄである段差外面５０２ｄとを有する。そして、段差外面５０２ｄは、第１外面５０２ａの外縁と第２外面５０３ａの外縁とをつなぐように形成される。その結果、第２外面５０３ａと、段差外面５０２ｄとの外側には、第１外面５０２ａを基準として開口部４０１側に窪んだ空間部５１０が形成される。
そして、画像形成装置本体１０５における裏側面１１１側には、外方に突出する突出部１１３が配置され、シールドケースユニット４０は、突出部１１３が空間部５１０に収容される（位置する）よう画像形成装置本体１０５における裏側面１１１側の内部に取り付けられる。
これにより、シールドケースユニット４０の外面に形成される空間部５１０は、画像形成装置本体１０５側の突出部１１３の収容部として活用される（機能する）。
また、これにより、コピー機１における省スペース化や高密度実装化を図ることができる。
【００８７】
また、上述の実施形態において、シールドケースユニット（シールドケース）が収容する基板の枚数は、２枚であったが、この枚数に限定されない。
シールドケースユニット（シールドケース）は、上述の実施形態と同様に段差構造及び複数の収容部を有するよう構成されることで、３枚以上の任意の枚数の基板を収容可能となる。
【００８８】
また、上述の実施形態において、厚さ方向Ｙ１に並ぶ収容部間に形成される段差壁部４０２ｄは、各収容部の底面と直交するよう構成されるが、これに限定されず、収容部の底面に対して適宜傾斜角を有した傾斜構造、あるいは曲面構造にするようにしてもよい。
【符号の説明】
【００８９】
１……コピー機（画像形成装置）、４０……シールドケースユニット、１０５……画像形成装置本体、１１０……ケース本体、１１１……裏側面（裏面）、１１２……後側板、１１３……突出部、４００……シールドケース、４０１……開口部、４０２……第１収容部、４０２ａ……第１底面、４０２ｂ……第１支持部材、４０２ｃ……壁部、４０２ｄ……段差壁部、４０３……第２収容部、４０３ａ……第２底面、４０３ｂ１……第２支持部材、４０３ｂ２……第２支持部材、４１０……蓋部材、４２０……第１基板、４３０……第２基板、４３１……発熱部材（ＣＰＵ等）、５０２ａ……第１外面、５０３ａ……第２外面５０３ａ、５０２ｄ……段差外面、５１０……空間部、５２０……ファン（送風部材）、Ｅ３……第３領域、Ｅ４……第４領域、ＧＫ……画像形成部、Ｒ１……第１領域、Ｒ２……第２領域
【図１】
2013191797.tif 000003
【図２】
2013191797.tif 000004
【図３】
2013191797.tif 000005
【図４】
2013191797.tif 000006
【図５】
2013191797.tif 000007
【図６】
2013191797.tif 000008
【図７】
2013191797.tif 000009
【図８】
2013191797.tif 000010
【図９】
2013191797.tif 000011
【図１０】
2013191797.tif 000012
【図１１】
2013191797.tif 000013
【図１２】
2013191797.tif 000014
【図１３】
2013191797.tif 000015
【図１４】
2013191797.tif 000016
【図１５】
2013191797.tif 000017
【図１６】
2013191797.tif 000018